(57)【要約】      （修正有）【課題】使用者が上部シートに着席して用便をすました後、上部シートを自動で洗浄して清潔を維持できる衛生座便器を提供する。【解決手段】下部シートは中央が開口した形態で、座便器本体の上側に配置される。上部シートは環形に形成され、下部シートの上側に配置され、下部シートの中心を中心に回転する。回転駆動部は上部シートを回転駆動させる。シート移動部は、上側部位が下部シートの後方部位に水平軸を中心に回動可能にヒンジ結合され、下側部位が座便器本体の後方部位に水平軸を中心に回動可能にヒンジ結合され、上部シートを着席位置と洗浄位置の間に往復移動させるリンク部材と、上部シートを洗浄位置に移動させるリンク部材スプリングとを含む。洗浄部は、上部シートが洗浄位置に移動して回転駆動部によって回転するうちに上部シートの表面を洗浄するように座便器本体に装着される。移動遅延部は、上部シートを移動させるとともに移動を遅延させる。【選択図】図１
2019042501.tif 000002
【特許請求の範囲】
【請求項１】
座便器本体；
中央が開口した形態を有し、前記座便器本体の上側に配置される下部シート；
環形に形成され、前記下部シートの上側に配置され、前記下部シートの中心を中心として回転する上部シート；
前記上部シートを回転駆動させる回転駆動部；
上側部位が前記下部シートの後方部位に水平軸を中心に回動可能にヒンジ結合された状態で下側部位が前記座便器本体の後方部位に水平軸を中心に回動可能にヒンジ結合されることによって前記上部シートを着席位置と洗浄位置の間に往復移動するように案内するリンク部材と、前記上部シートを洗浄位置に移動させる方向に前記リンク部材に弾性力を加えるリンク部材スプリングとを含むシート移動部；
前記上部シートが洗浄位置に移動して前記回動駆動部によって回転するうちに前記上部シートの表面を洗浄するように前記上部シートの後方上側部位に対応する状態で前記座便器本体に装着される洗浄部；及び
前記上部シートを洗浄位置から洗浄位置と着席位置間の待機位置まで移動させるとともに前記上部シートの移動を遅延させる移動遅延部；
を含む、衛生座便器。
【請求項２】
前記移動遅延部は、
上側部位が前記リンク部材の中央部位に対応する状態で下側部位が前記リンク部材の下側ヒンジ結合中心に同軸上で回動可能に結合される押圧レバーと、
前記押圧レバーが前記リンク部材を押圧する方向に前記押圧レバーに弾性力を加える押圧レバースプリングと、
前記押圧レバーの上方に左右に水平状態に配置され、前記座便器本体に支持されるガイドローラーと、
前記上部シートが待機位置を維持するように前記ガイドローラーにかかった状態で、一端が前記押圧レバーに固定され、他端が前記リンク部材に固定されるワイヤと、
前記押圧レバーが押圧方向に回動するときに前記押圧レバーの回動を遅延させるエアクッションとを含むことを特徴とする、請求項１に記載の衛生座便器。
【請求項３】
座便器本体；
中央が開口した形態を有し、前記座便器本体の上側に配置される下部シート；
環形に形成され、前記下部シートの上側に配置され、前記下部シートの中心を中心として回転する上部シート；
前記上部シートを回転駆動させる回転駆動部；
上側部位が前記下部シートの後方部位に水平軸を中心に回動可能にヒンジ結合された状態で下側部位が前記座便器本体の後方部位に水平軸を中心に回動可能にヒンジ結合されることによって前記上部シートを着席位置と洗浄位置の間に往復移動するように案内するリンク部材；
前記上部シートが洗浄位置に移動して回転するうち前記上部シートの表面を洗浄するように前記上部シートの後方上側部位に対応する状態で前記座便器本体に装着される洗浄部；及び
前記リンク部材を下側部位を中心に前後に回動させることによって前記上部シートを着席位置と洗浄位置の間に往復移動させ、前記上部シートを設定の洗浄時間の間に洗浄位置に移動した状態で維持させるリンク部材駆動部；
を含むことを特徴とする、衛生座便器。
【請求項４】
前記洗浄部は、
下部が開口した形態を有し、前記座便器本体に装着される洗浄ケースと、
前記上部シートの洗浄位置への移動時、前記洗浄ケース内で前記上部シートの表面に洗浄液を噴射するように制御される洗浄ノズルと、
前記洗浄ケース内で前記上部シートの回転方向を基準に前記洗浄ノズルより後方に配置され、前記上部シートの回転時、前記上部シートの表面を洗浄するとともに洗浄液を除去する洗浄ブラシと、
前記洗浄ケース内で前記上部シートの回転方向を基準に前記洗浄ブラシより後方に配置され、前記上部シートの表面から湿気を除去する乾燥ブラシとを含むことを特徴とする、請求項１〜３のいずれか一項に記載の衛生座便器。
【発明の詳細な説明】
【技術分野】
【０００１】
本発明は衛生座便器に関し、より詳しくは使用者の身体に直接接触する座便器のシートが清潔な状態を維持することができるようにする衛生座便器に関する。
【背景技術】
【０００２】
一般的な座便器のシートは用便時に人の身体と直接接触するので清潔が要求される。特に、公衆トイレ用座便器の場合には、不特定多数人が用いるため、清潔がさらに要求されるが清潔状態を維持しにくい問題がある。
【０００３】
座便器の清潔維持のために管理人を別に置いても、座便器の使用後に座便器の即刻の清潔状態維持が難しいだけでなく、用便後、座便器で発生する各種の細菌を殺菌することは大変なことである。
【０００４】
座便器のシートを自動で洗浄するとか殺菌させることで、座便器の清潔状態を維持させようとする努力が注がれて来た。その一例として、韓国公開特許第１０−２００２−０００５１５５号公報の“便器シートが回転する無人自動洗浄公衆トイレ及びシステム”が開示されている。
【０００５】
開示の技術によれば、隔離壁の下部に回転可能な回転壁を取り付け、回転壁の両側に一対の便器シートを対称状に装着することで、トイレで水洗式便器を使ってからは回転壁が自動で１８０度回転するようにして、使用後の便器シートを洗浄室に回転させて洗浄するように構成される。ところが、前述した構成の無人自動洗浄公衆トイレは比較的大きな設置空間が要求されるなどの問題があるため、大衆化に限界があり得る。
【先行技術文献】
【特許文献】
【０００６】
【特許文献１】韓国公開特許第１０−２００２−０００５１５５号公報
【発明の概要】
【発明が解決しようとする課題】
【０００７】
本発明の課題は使用者が上部シートに安定感を持って着席して用便をすました後、上部シートから脱すると同時に上部シートを自動で洗浄して清潔維持及び便宜性向上を提供することができる衛生座便器を提供することにある。
【課題を解決するための手段】
【０００８】
前記の課題を達成するための本発明における一態様による衛生座便器は、座便器本体と、下部シートと、上部シートと、回転駆動部と、シート移動部と、洗浄部と、移動遅延部とを含む。下部シートは中央が開口した形態を有し、座便器本体の上側に配置される。上部シートは環形に形成され、下部シートの上側に配置され、下部シートの中心を中心として回転する。回転駆動部は上部シートを回転駆動させる。シート移動部は、上側部位が下部シートの後方部位に水平軸を中心に回動可能にヒンジ結合された状態で下側部位が座便器本体の後方部位に水平軸を中心に回動可能にヒンジ結合されることによって上部シートを着席位置と洗浄位置の間に往復移動させるように案内するリンク部材と、上部シートを洗浄位置に移動させる方向にリンク部材に弾性力を加えるリンク部材スプリングとを含む。洗浄部は、上部シートが洗浄位置に移動して回転駆動部によって回転するうちに上部シートの表面を洗浄するように上部シートの後方上側部位に対応する状態で座便器本体に装着される。移動遅延部は、上部シートを洗浄位置から洗浄位置と着席位置間の待機位置まで移動させるとともに上部シートの移動を遅延させる。
【０００９】
他の態様による衛生座便器は、座便器本体と、下部シートと、上部シートと、回転駆動部と、リンク部材と、洗浄部と、リンク部材駆動部とを含む。下部シートは、中央が開口した形態を有し、座便器本体の上側に配置される。上部シートは環形に形成され、下部シートの上側に配置され、下部シートの中心を中心として回転する。回転駆動部は上部シートを回転駆動させる。リンク部材は、上側部位が下部シートの後方部位に水平軸を中心に回動可能にヒンジ結合された状態で下側部位が座便器本体の後方部位に水平軸を中心に回動可能にヒンジ結合されることによって上部シートを着席位置と洗浄位置の間に往復移動させるように案内する。洗浄部は、上部シートが洗浄位置に移動して回転駆動部によって回転するうちに上部シートの表面を洗浄するように上部シートの後方上側部位に対応する状態で座便器本体に装着される。リンク部材駆動部は、リンク部材を下側部位を中心に前後に回動させることによって上部シートを着席位置と洗浄位置の間に往復移動させ、上部シートを設定の洗浄時間の間、洗浄位置に移動した状態で維持させる。
【発明の効果】
【００１０】
本発明による衛生座便器は使用者が上部シートに安定感を持って着席して用便をすました後、上部シートから脱すると同時に上部シートを自動で洗浄するように構成されるので、清潔維持及び便宜性増大を提供することができる。また、本発明による衛生座便器は通常の座便器の設置空間内で構成可能なので、大衆化に有利である。
【図面の簡単な説明】
【００１１】
【図１】本発明の一実施例による衛生座便器の斜視図である。
【図２】図１の部分分解斜視図である。
【図３】図１に示した洗浄部の断面図である。
【図４】図１において、シート移動部及び移動遅延部を分解して示す斜視図である。
【図５】図１の側面図である。
【図６】図５において、押圧レバー側を抜粹して示した斜視図である。
【図７】図５において、衛生座便器の作用を説明するための側断面図である。
【図８】図５において、衛生座便器の作用を説明するための側断面図である。
【図９】本発明の他の実施例による衛生座便器の側面図である。
【発明を実施するための形態】
【００１２】
本発明について添付図面を参照して詳細に説明すると次のようになる。ここで、同じ構成に対しては同じ符号を付け、繰り返される説明、及び本発明の要旨を不必要にあいまいにすることができる公知の機能及び構成についての詳細な説明は省略する。本発明の実施形態は当該分野で平均的な知識を有する者に本発明をより完全に説明するために提供するものである。したがって、図面における要素の形状及び大きさなどはより明確な説明のために誇張されていることがある。
【００１３】
図１は本発明の一実施例による衛生座便器の斜視図である。図２は図１の部分分解斜視図である。図３は図１に示した洗浄部の断面図である。図４は図１において、シート移動部及び移動遅延部を分解して示す斜視図である。図５は図１の側面図である。図６は図５において、押圧レバー側を抜粹して示す斜視図である。図７及び図８は図５において、衛生座便器の作用を説明するための側断面図である。
【００１４】
図１〜図８を参照すれば、衛生座便器１００は、座便器本体１１０と、下部シート１２０と、上部シート１３０と、回転駆動部１４０と、シート移動部１５０と、洗浄部１６０と、移動遅延部１７０とを含む。
【００１５】
座便器本体１１０は使用者の便を受けた後、内側から水が流出してトラップを通じて便を流すことができるように構成される。下部シート１２０は中央が開口した形態のものであり、座便器本体１１０の上側に配置される。下部シート１２０は上部で回転する上部シート１３０を支持する。
【００１６】
下部シート１２０は中央開口が円形に形成されることができる。下部シート１２０は上部シート１３０の下側部位を覆うことができる形態となる。下部シート１２０は、上部シート１３０と同一の形態を有するとともに後方部位に上部シート１３０より後方に突出した一対のフランジ１２１を有する形態となることができる。下部シート１２０は後方部位が上部シート１３０から角張るように突出した形態となることができるので、例示したものに限定されない。
【００１７】
上部シート１３０は環形に形成されて下部シート１２０上に配置される。上部シート１３０は内外周がそれぞれ同心円を成すことによって一定幅を有する環形となることができる。上部シート１３０は下部シート１２０の中心を中心として回転する。よって、上部シート１３０は全表面が洗浄部１６０を通過しながら洗浄されることができる。
【００１８】
回転駆動部１４０は上部シート１３０を回転駆動させる。一例として、回転駆動部１４０は、ベアリング１４１と、従動ギア１４２と、駆動ギア１４３と、回転モーター１４４とを含むことができる。
【００１９】
ベアリング１４１は下部シート１２０に対する上部シート１３０の回転を支持する。ベアリング１４１はスラストベアリング（ｔｒｕｓｔ  ｂｅａｒｉｎｇ）からなることができる。スラストベアリングは内輪と外輪の間にボール又はローラーを収容することができる。内輪が上部シート１３０に固定され、外輪が下部シート１２０に固定されることにより、下部シート１２０に対する上部シート１３０の回転を支持することができる。
【００２０】
従動ギア１４２は上部シート１３０の回転方向に沿って上部シート１３０に形成される。従動ギア１４２はベアリング１４１の内輪の内周面に沿ってギア歯を有するように形成されることもできる。他の例として、従動ギア１４２はリング部材の外周面に沿ってギア歯を有するように構成されてベアリング１４１の内輪の内周面に固定されることができる。
【００２１】
駆動ギア１４３は従動ギア１４２と噛み合った状態で回転することによって上部シート１３０を回転させるように形成される。駆動ギア１４３は垂直軸を中心に回転するように配置され、従動ギア１４２と噛み合うことができる。
【００２２】
回転モーター１４４は駆動ギア１４３を回転駆動させる。回転モーター１４４は、モーター胴体が下部シート１２０に固定された状態で駆動軸が駆動ギア１４３に同軸上で固定されることにより、回転駆動力を駆動ギア１４３に伝達することができる。
【００２３】
回転モーター１４４は衛生座便器１００を全般的に制御する制御部によって制御されることができる。上部シート１３０の洗浄位置への移動は近接センサーによって感知することができ、近接センサーで感知された情報は制御部に提供されることができる。制御部は、上部シート１３０が洗浄位置に移動したと判断されれば、回転モーター１４４を制御して上部シート１３０を１回転させることができる。上部シート１３０の回転位置は位置センサーによって感知することができる。制御部は位置センサーで感知された情報に基づいて回転モーター１４４を制御することができる。
【００２４】
シート移動部１５０は上部シート１３０を着席位置と洗浄位置の間で往復移動することができるようにするものであり、リンク部材１５１と、リンク部材スプリング１５２とを含む。
【００２５】
リンク部材１５１は、上側部位が下部シート１２０の後方部位に水平軸を中心に回動可能にヒンジ結合された状態で下側部位が座便器本体１１０の後方部位に水平軸を中心に回動可能にヒンジ結合されることによって上部シート１３０を着席位置と洗浄位置の間で往復移動するように案内する。ここで、上部シート１３０の着席位置は下部シート１２０が座便器本体１１０上に接触する位置であり、上部シート１３０の洗浄位置は上部シート１３０が洗浄部１６０の洗浄ブラシ１６３に接触する位置である。
【００２６】
リンク部材１５１は、上側部位が下部シート１２０のフランジ１２１にヒンジ軸で結合され、下側部位が座便器本体１１０の支持部１７６にヒンジ軸で結合されることができる。支持部１７６は後述する洗浄ケース１６１と一体的になった単一ボックス状に統合して構成されることができる。この場合、洗浄領域と支持領域は隔壁によって区画されることができる。
【００２７】
リンク部材１５１は、上部シート１３０の着席位置で下部シート１２０を上昇及び後進するように案内して上部シート１３０を洗浄位置に移動させるように案内し、上部シート１３０の洗浄位置で下部シート１２０を下降させながら前進させるように案内して上部シート１３０を着席位置に移動させるように案内することができる。
【００２８】
リンク部材スプリング１５２は上部シート１３０を洗浄位置に移動させる方向にリンク部材１５１に弾性力を加える。リンク部材スプリング１５２は使用者が待機位置の上部シート１３０に着席すれば弾性変形し、使用者が上部シート１３０に着席した状態から脱すれば、弾性力によって上部シート１３０を洗浄位置に移動させる。リンク部材スプリング１５２はトーションスプリングからなることができる。リンク部材スプリング１５２はリンク部材１５１の下側ヒンジ軸に嵌め合わせられ、一端がリンク部材１５１に固定され、他端が座便器本体１１０に固定されることができる。
【００２９】
このようなシート移動部１５０によれば、使用者が待機位置の上部シート１３０に着席して用便を済ました後、上部シート１３０から脱すれば、上部シート１３０は洗浄位置に移動して洗浄部１６０によって洗浄できる。シート移動部１５０は一対からなって下部シート１２０の移動を安定に案内することができる。リンク部材１５１は左右に間隔を置いて配置され、下部シート１２０を座便器本体１１０に連結することができる。リンク部材スプリング１５２はリンク部材１５１にそれぞれ弾性力を加えるように取り付けられることができる。
【００３０】
洗浄部１６０は、上部シート１３０が洗浄位置に移動して回転駆動部１４０によって回転しているうち、上部シート１３０の表面を洗浄するように上部シート１３０の後方上側部位に対応する状態で座便器本体１１０に装着される。一例として洗浄部１６０は、洗浄ケース１６１と、洗浄ノズル１６２と、洗浄ブラシ１６３と、乾燥ブラシ１６４とを含むことができる。
【００３１】
洗浄ケース１６１は下部が開口した形態を有し、座便器本体１１０に装着される。洗浄ケース１６１は、上部シート１３０が洗浄位置に移動したとき、上部シート１３０の後方上側部位と対応するように配置される。洗浄ケース１６１は、洗浄ノズル１６２、洗浄ブラシ１６３及び乾燥ブラシ１６４を収容して支持する。
【００３２】
洗浄ノズル１６２は、上部シート１３０の洗浄位置に移動したとき、洗浄ケース１６１内で上部シート１３０の表面に洗浄液を噴射するように制御される。洗浄液は消毒液又は水などからなることができる。洗浄ノズル１６２は洗浄液供給源から洗浄液を受けて噴射することができる。制御部は、近接センサーで感知された情報に基づいて上部シート１３０が洗浄位置に移動したと判断されれば、洗浄ノズル１６２のバルブを制御して洗浄ノズル１６２から洗浄液を噴射させることができる。
【００３３】
洗浄ブラシ１６３は洗浄ケース１６１内で上部シート１３０の回転方向を基準に洗浄ノズル１６２より後方に配置され、上部シート１３０の回転時に上部シート１３０の表面を洗浄する。洗浄ブラシ１６３は上部シート１３０の表面に付着された汚染物質を上部シート１３０の表面に噴射された洗浄液と一緒に洗い落とすことによって上部シート１３０の表面を洗浄するとともに洗浄液を除去することができる。洗浄ブラシ１６３は、上部シート１３０に対する洗浄及び洗浄液の除去が容易に成されるように、弾力性のゴム素材などからなることができる。洗浄ブラシ１６３はワイパーブレード状に形成されることができる。
【００３４】
洗浄ブラシ１６３は下方に弾性力を加えるブラシスプリング１６３ａによって洗浄ケース１６１内の天井に支持されることができる。洗浄ブラシ１６３は、上部シート１３０の洗浄時、上部シート１３０の表面に押し付けられて上部シート１３０の表面の洗浄効果を一層高めることができる。
【００３５】
乾燥ブラシ１６４は洗浄ケース１６１内で上部シート１３０の回転方向を基準に洗浄ブラシ１６３より後方に配置され、上部シート１３０の表面から湿気を除去することができる。乾燥ブラシ１６４は洗浄ブラシ１６３を通過した上部シート１３０に残存する湿気を除去することによって上部シート１３０の表面を乾燥させることができる。
【００３６】
乾燥ブラシ１６４は、上部シート１３０の表面から湿気を容易に吸収して蒸発させることができるように、吸水性及び速乾性に優れた纎維などの素材からなることができる。乾燥ブラシ１６４はワイパーブレード状に形成されることができる。
【００３７】
乾燥ブラシ１６４は下方に弾性力を加えるブラシスプリング１６４ａによって洗浄ケース１６１内の天井に支持されることができる。乾燥ブラシ１６４は、上部シート１３０の洗浄時、上部シート１３０の表面に押し付けられて上部シート１３０の表面から湿気を除去する効果を一層高めることができる。
【００３８】
移動遅延部１７０は上部シート１３０を洗浄位置から洗浄位置と着席位置間の待機位置まで移動させるとともに上部シート１３０の移動を遅延させる。待機位置は洗浄位置までの距離が着席位置までの距離より短く設定されることができるが、これに限定されない。
【００３９】
詳細に説明すれば、上部シート１３０が洗浄位置にあるとき、上部シート１３０の後方部位は洗浄ケース１６１によって遮られて見えなくてもよい。この状態では、使用者が上部シート１３０に着席するときに不安感を抱くことがあり得る。移動遅延部１７０は上部シート１３０を、洗浄位置から待機位置まで、上部シート１３０の後方部位が見えるように下降させることにより、使用者が上部シート１３０に着席するときに不安感を抱かずに安定感を抱くことができる。
【００４０】
このように、上部シート１３０が洗浄位置から待機位置に移動するうち上部シート１３０が急速に移動すれば、上部シート１３０が充分に洗浄されなかった状態で待機位置に移動することがある。移動遅延部１７０は、上部シート１３０が洗浄位置から待機位置に移動するとき、上部シート１３０の移動を遅延させることによって上部シート１３０を充分に洗浄させることができるようにする。
【００４１】
移動遅延部１７０は、上部シート１３０の位置移動なしにおよそ４秒間洗浄するように、上部シート１３０の移動を遅延させることができる。シート移動部１５０が一対からなる場合、移動遅延部１７０は一対からなり、シート移動部１５０にそれぞれ割り当てられることができる。
【００４２】
例えば、移動遅延部１７０は、押圧レバー１７１と、押圧レバースプリング１７２と、ガイドローラー１７３と、ワイヤ１７４と、エアクッション（ａｉｒ  ｃｕｓｈｉｏｎ）１７５とを含むことができる。
【００４３】
押圧レバー１７１は、上側部位がリンク部材１５１の中央部位に対応する状態で下側部位がリンク部材１５１の下側ヒンジ結合中心と同軸上で回動可能に結合される。押圧レバー１７１はリンク部材１５１の下側ヒンジ結合中心から外れた地点に回動可能に結合されることもできる。押圧レバー１７１は押圧レバースプリング１７２によってリンク部材１５１側に回動してリンク部材１５１を押圧する。
【００４４】
リンク部材１５１が上部シート１３０を洗浄位置に移動させるように上方に回転して最後方に移動した状態で、押圧レバー１７１の上側部位はリンク部材１５１から離隔することができる。したがって、押圧レバー１７１の上側部位は最後方とリンク部材１５１間の離隔した距離の分だけリンク部材１５１側に移動する時間の間に遅延されてからリンク部材１５１を押圧することができる。その結果、上部シート１３０が洗浄位置で移動中止状態で洗浄を終えた後に待機位置に移動することができる。
【００４５】
押圧レバー１７１の上側部位は略‘コ’字形に後方に折り曲げられることができる。ここで、押圧レバー１７１の上側部位が後方に折り曲げられた長さは遅延時間を目標時間となるように最後方からリンク部材１５１と離隔するように設定されることができる。
【００４６】
押圧レバースプリング１７２は、押圧レバー１７１がリンク部材１５１を押圧する方向に押圧レバー１７１に弾性力を加える。したがって、押圧レバー１７１は、押圧レバースプリング１７２の弾性力によって、リンク部材１５１を座便器本体１１０に近付くように回動させることができる。押圧レバースプリング１７２はトーションスプリングからなることができる。押圧レバースプリング１７２は押圧レバー１７１のヒンジ結合中心軸に嵌め合わせられ、一端が押圧レバー１７１に固定され、他端が座便器本体１１０に固定されることができる。押圧レバースプリング１７２の弾性力は、上部シート１３０の待機位置でワイヤ１７４の張力とリンク部材１５１の弾性力が平衡を成すように設定されることができる。
【００４７】
ガイドローラー１７３は押圧レバー１７１の上方に左右に水平方向に配置されて座便器本体１１０に支持される。ガイドローラー１７３は座便器本体１１０上に固定された支持部１７６に支持されることができる。ガイドローラー１７３は左右端が支持部１７６に固定的に支持されるとか回転可能に支持されることができる。ガイドローラー１７３は円筒状に形成されたものとして例示されているが、固定滑車からなることもできる。
【００４８】
ワイヤ１７４は上部シート１３０が待機位置を維持するようにガイドローラー１７３にかかった状態で、一端が押圧レバー１７１に固定され、他端がリンク部材１５１に固定される。ワイヤ１７４は２本からなることができる。ワイヤ１７４は一側端が押圧レバー１７１の両側端に分割されて固定され、他側端がリンク部材１５１に一緒に固定されることができる。ワイヤ１７４は上部シート１３０の待機位置でぴんと張る長さを有する。
【００４９】
上部シート１３０が待機位置から着席位置に移動すれば、ワイヤ１７４は押圧レバー１７１を引っ張ってリンク部材１５１から分離させることができる。このとき、押圧レバースプリング１７２が弾性変形する。上部シート１３０が着席位置から洗浄位置に移動してリンク部材１５１が押圧レバー１７１と一緒に最後方に位置するとき、ワイヤ１７４は緩い状態となる。この状態で、押圧レバー１７１がリンク部材１５１を押圧して上部シート１３０を待機位置に移動させれば、ワイヤ１７４はぴんと張って上部シート１３０が待機位置を維持することができるようにする。
【００５０】
エアクッション１７５は、押圧レバー１７１が押圧方向に回動するとき、押圧レバー１７１の回動を遅延させる。すなわち、押圧レバー１７１が最後方に位置する状態でリンク部材１５１を押圧するために前方に回動するとき、エアクッション１７５は押圧レバー１７１の回動に抵抗することによって押圧レバー１７１が徐々に回動することができるようにする。よって、押圧レバー１７１がリンク部材１５１を押圧するまで上部シート１３０の洗浄位置を維持させて上部シート１３０の移動を遅延させることができる。
【００５１】
エアクッション１７５は支持部１７６の左右側にそれぞれ押圧レバー１７１の回動軌跡に沿って伸縮可能に支持されることができる。支持部１７６は左右側に押圧レバー１７１の回動軌跡方向に支持孔１７６ａが形成されることができる。エアクッション１７５は支持部１７６の支持孔１７６ａに離脱できないように挿入されることができる。押圧レバー１７１は左右側部位がエアクッション１７５の各後方部位に固定されることができる。
【００５２】
一例として、エアクッション１７５は、クッションバッグ（ｃｕｓｈｉｏｎ  ｂａｇ）１７５１と、クッションスプリング１７５２とを含むことができる。クッションバッグ１７５１は内部空間を有し、柔軟な素材からなる。クッションバッグ１７５１は後方部位に押圧レバー１７１を固定することができる。クッションバッグ１７５１は、押圧レバー１７１によって押圧されれば伸長状態から収縮し、押圧レバー１７１による押圧が解除されれば収縮状態から伸長して復元される。
【００５３】
クッションバッグ１７５１は内部空間に対してエアを出入りさせるエア出入口１７５１ａを有することができる。エア出入口１７５１ａはクッションバッグ１７５１の収縮時にクッションバッグ１７５１の内部エアを外部に排出し、クッションバッグ１７５１の伸長時に外部エアをクッションバッグ１７５１の内部に吸入することによってクッションバッグ１７５１の伸縮動作が円滑になるようにする。クッションバッグ１７５１は後方に行くほど内部空間の断面積が広くなる形態となることにより、押圧レバー１７１がリンク部材１５１を押圧するまで遅延時間を最大限確保することができる。
【００５４】
クッションスプリング１７５２はクッションバッグ１７５１を伸長させる方向に弾性力を加える。クッションスプリング１７５２は圧縮スプリングからなり、クッションバッグ１７５１の外周面を螺旋状に取り囲むように取り付けられることができる。この場合、クッションバッグ１７５１は螺旋状にしわが寄った形態となることができる。他の例として、クッションスプリング１７５２はクッションバッグ１７５１内に取り付けられることもでき、クッションバッグ１７５１は一定の間隔でしわが寄った形態となることができる。
【００５５】
このようなエアクッション１７５は次のように作用することができる。押圧レバー１７１が最後方位置からリンク部材１５１を押圧する方向に回動することによって伸長状態のクッションバッグ１７５１を押圧すれば、クッションバッグ１７５１は内部エアの抵抗とクッションスプリング１７５２の弾性力によって押圧レバー１７１の回動を遅延させながら収縮する。このとき、クッションバッグ１７５１は押圧レバー１７１が上部シート１３０を待機位置まで移動させるまで収縮している。この過程で、クッションバッグ１７５１は内部エアがエア出入口１７５１ａを通じて排出されることによって円滑に収縮することができる。
【００５６】
この状態で、上部シート１３０が待機位置から着席位置を経て洗浄位置に移動して押圧レバー１７１が最後方に位置することによってクッションバッグ１７５１の押圧状態が解除されれば、クッションバッグ１７５１はクッションスプリング１７５２によって伸長して復元される。この過程で、クッションバッグ１７５１は、外部エアがエア出入口１７５１ａを通じて吸入されるにつれて円滑に伸長することができる。
【００５７】
前述した衛生座便器１００の作用について、図５〜図８を参照して説明すれば次のようである。
【００５８】
図５及び図６に示したように、上部シート１３０は、待機位置にある状態で、上部シート１３０の後方部位が洗浄部１６０の洗浄ケース１６１から露出されるから、使用者が上部シート１３０に着席するときに安定感を抱くことができる。このとき、押圧レバー１７１、リンク部材１５１及びワイヤ１７４は平衡を成した状態で維持される。
【００５９】
この状態で、使用者が上部シート１３０に着席すれば、図７に示したように、上部シート１３０はリンク部材１５１の案内によって下降しながら前進して着席位置に移動する。この過程で、リンク部材スプリング１５２は弾性変形する。また、押圧レバー１７１はワイヤ１７４によって引っ張られてリンク部材１５１から離脱し、押圧レバースプリング１７２が弾性変形する。
【００６０】
使用者が用便を済ましてから上部シート１３０から脱すれば、図８に示したように、上部シート１３０はリンク部材スプリング１５２の弾性力によってリンク部材１５１の案内によって上昇及び後進して洗浄位置に移動する。この過程で、リンク部材１５１が最後方に移動することによってワイヤ１７４が緩くなる。
【００６１】
上部シート１３０が洗浄位置に移動すれば、洗浄部１６０の洗浄ノズル１６２から上部シート１３０の表面に洗浄液が噴射されるとともに上部シート１３０が回転駆動部１４０によって１回転する。この過程で、洗浄部１６０の洗浄ブラシ１６３は上部シート１３０の表面に付着した汚染物質を上部シート１３０の表面に噴射された洗浄液と一緒に掃き出すことによって上部シート１３０の表面を洗浄するとともに洗浄液を除去する。ついで、乾燥ブラシ１６４は上部シート１３０の表面から湿気を除去することができる。
【００６２】
上部シート１３０は洗浄中に移動を中止し、洗浄が完了した後、押圧レバー１７１が押圧レバースプリング１７２の弾性力によってリンク部材１５１を押圧することによって下降しながら前進して待機位置に移動することになる。
【００６３】
この過程で、エアクッション１７５は押圧レバー１７１の回動に抵抗することによって押圧レバー１７１が徐々に回動することができるようにする。また、押圧レバー１７１の上側部位は最後方からリンク部材１５１から離隔した距離の分だけリンク部材１５１側に移動する時間だけ遅延された後、上部シート１３０が待機位置への移動を中止し、洗浄位置で１回転して洗浄を終了する時点でリンク部材１５１を押圧して、上部シート１３０を洗浄位置から待機位置に移動させることができるようにする。したがって、上部シート１３０は１回転するうちに充分に洗浄されることができる。
【００６４】
図５に示したように、上部シート１３０が待機位置に移動すれば、ワイヤ１７４は緩い状態からぴんと張る。これにより、ワイヤ１７４は押圧レバー１７１及びリンク部材１５１と平衡を成すので、上部シート１３０が待機位置を維持することができる。
【００６５】
このような衛生座便器１００は、使用者が上部シート１３０に安定感を抱いて着席して用便を済ました後、上部シート１３０から脱すると同時に上部シート１３０を自動で洗浄するように構成されることにより、清潔維持及び便宜性増大を提供することができる。また、衛生座便器は通常的な座便器の設置空間内に構成することができるので、大衆化に有利である。
【００６６】
図９は本発明の他の実施例による衛生座便器の側面図である。
【００６７】
図９を参照すれば、本実施例による衛生座便器２００は、前述した実施例による衛生座便器１００のリンク部材スプリング１５２と移動遅延部１７０が省略される代わりに、リンク部材駆動部２７０を含んで成る。
【００６８】
リンク部材駆動部２７０は、リンク部材１５１を下側部位を中心に前後に回動させることによって上部シート１３０を着席位置と洗浄位置の間に往復移動させる。リンク部材駆動部２７０は上部シート１３０を設定の洗浄時間の間に、例えばおよそ４秒間、洗浄位置に移動させた状態で維持させる。
【００６９】
詳述すれば、リンク部材駆動部２７０は、使用者が着席する前に上部シート１３０を着席位置に移動させるようにリンク部材１５１を回動させることにより、上部シート１３０を着席位置で待機する状態で維持させる。
【００７０】
この状態で、使用者が上部シート１３０に着席して用便を済ましてから上部シート１３０から脱すれば、リンク部材駆動部２７０は上部シート１３０を洗浄位置に移動させるようにリンク部材１５１を回動させる。ついで、リンク部材駆動部２７０は上部シート１３０が洗浄位置で１回転しながら洗浄を終了するまで上部シート１３０を洗浄位置に移動させた状態で維持させる。
【００７１】
上部シート１３０の洗浄が完了すれば、リンク部材駆動部２７０は、上部シート１３０を着席位置に移動させるようにリンク部材１５１を回動させた後、着席位置で待機する状態で維持させる。
【００７２】
リンク部材駆動部２７０は制御部によって制御されることができる。制御部は、使用者が上部シート１３０に着席した後、脱するかどうかについての情報をセンサーから受けてリンク部材駆動部２７０が前述した方式で駆動するように制御することができる。
【００７３】
一例として、リンク部材駆動部２７０はシリンダーを含んで成ることができる。シリンダーは、シリンダーロッド２７０ａが空圧又は油圧によってシリンダー胴体２７０ｂに対して伸縮動作するように構成される。シリンダーロッド２７０ａはリンク部材１５１の後方に配置されて、先端部位がリンク部材１５１に水平軸を中心に回動可能に結合されることができる。シリンダー胴体２７０ｂは後端部位が座便器本体１１０又は座便器本体１１０のブラケットなどに水平軸を中心に回動可能に結合されることができる。
【００７４】
シリンダーロッド２７０ａはシリンダー胴体２７０ｂから伸長するにつれてリンク部材１５１を押して前方に回動させることができる。一方、シリンダーロッド２７０はシリンダー胴体２７０ｂ内に収縮するにつれてリンク部材１５１を引っ張って後方に回動させることができる。
【００７５】
他の例として、リンク部材駆動部２７０はリニアモーターなどの多様なリニアアクチュエーターを含んで成る、また、リンク部材１５１の下側部位を回動させる回転モーターを含んで成ることもできる。
【００７６】
以上で本発明を添付図面に示した一実施例に基づいて説明したが、これは例示的なものに過ぎなく、当該技術分野で通常の知識を有する者であればこれからの多様な変形例及び均等な他の実施例が可能であるという点が理解可能であろう。よって、本発明の真正な保護範囲は添付の特許請求の範囲によってだけ決定されなければならない。
【符号の説明】
【００７７】
１１０    座便器本体
１２０    下部シート
１３０    上部シート
１４０    回転駆動部
１４１    ベアリング
１４２    従動ギア
１４３    駆動ギア
１４４    回転モーター
１５０    シート移動部
１５１    リンク部材
１５２    リンク部材スプリング
１６０    洗浄部
１６１    洗浄ケース
１６２    洗浄ノズル
１６３    洗浄ブラシ
１６４    乾燥ブラシ
１７０    移動遅延部
１７１    押圧レバー
１７２    押圧レバースプリング
１７３    ガイドローラー
１７４    ワイヤ
１７５    エアクッション
２７０    リンク部材駆動部
【図１】
2019042501.tif 000003
【図２】
2019042501.tif 000004
【図３】
2019042501.tif 000005
【図４】
2019042501.tif 000006
【図５】
2019042501.tif 000007
【図６】
2019042501.tif 000008
【図７】
2019042501.tif 000009
【図８】
2019042501.tif 000010
【図９】
2019042501.tif 000011